(57)【要約】【課題】携帯電子機器に搭載された機能とクレードルとを連係させて、クレードルをより有効に利用することを可能にする。【解決手段】デジタルスチルカメラ１０（携帯電子機器）は、ワールドタイム機能によってホーム国（第１の時刻）あるいは撮影国（第２の時刻）を設定することができる。デジタルスチルカメラ１０は、クレードル１１と接続されたことを検知すると、撮影国が設定されている場合には、ホーム国に設定を変更する。【選択図】      図１
2008206204.tif 000002
【特許請求の範囲】
【請求項１】
クレードル装置と、同装置に載置されることで接続される携帯電子機器とを有する携帯電子機器システムにおいて、
前記携帯電子機器は、
第１の時刻あるいは前記第１の時刻と異なる第２の時刻を設定する時刻設定手段と、
前記クレードル装置と接続されたことを検知する検知手段と、
前記検知手段により検知された場合に、前記設定手段により前記第２の時刻が設定されているか否かを判別する判別手段と、
前記判別手段により前記第２の時刻に設定されていることが判別された場合、前記第１の時刻に変更する時刻変更手段とを具備したことを特徴とする携帯電子機器システム。
【請求項２】
クレードル装置と、同装置に載置されることで接続される携帯電子機器とを有する携帯電子機器システムにおいて、
前記クレードル装置は、
時刻を設定する時刻設定手段と、
前記携帯電子機器が接続された場合に、前記時刻設定手段により設定された時刻についての情報を前記携帯電子機器に送信する時刻送信手段とを有し、
前記携帯電子機器は、
第１の時刻あるいは前記第１の時刻と異なる第２の時刻を設定する時刻設定手段と、
前記クレードル装置と接続されたことを検知する検知手段と、
前記検知手段により検知された場合に、前記時刻送信手段により送信された時刻についての情報を受信する時刻受信手段と、
前記時刻受信手段により受信した情報が示す時刻と前記設定手段により設定された第１の時刻が異なっているか否かを判別する判別手段と、
前記判別手段により時刻が異なることが判別された場合、前記時刻設定手段によって設定される前記第１の時刻を前記時刻受信手段により受信した情報が示す時刻に変更する時刻変更手段と
を具備したことを特徴とする携帯電子機器システム。
【請求項３】
前記時刻変更手段による時刻の変更を確認するための設定変更確認表示を行う確認表示手段と、
前記確認表示手段による設定変更確認表示に対する設定変更の実行指示を入力する指示入力手段とを具備し、
前記時刻変更手段は、前記指示入力手段によって実行指示が入力された場合に前記第１の時刻に変更することを特徴とする請求項１または請求項２記載の携帯電子機器。
【請求項４】
クレードル装置と接続可能な携帯電子機器において、
第１の時刻あるいは前記第１の時刻と異なる第２の時刻を設定する時刻設定手段と、
前記クレードル装置と接続されたことを検知する検知手段と、
前記検知手段により検知された場合に、前記設定手段により前記第２の時刻が設定されているか否かを判別する判別手段と、
前記判別手段により前記第２の時刻に設定されていることが判別された場合、前記第１の時刻に変更する時刻変更手段と
を具備したことを特徴とする携帯電子機器。
【請求項５】
クレードル装置と接続可能な携帯電子機器において、
第１の時刻あるいは前記第１の時刻と異なる第２の時刻を設定する時刻設定手段と、
前記クレードル装置と接続されたことを検知する検知手段と、
前記検知手段により検知された場合に、前記クレードル装置から時刻についての情報を受信する時刻受信手段と、
前記時刻受信手段により受信した情報が示す時刻と前記設定手段により設定された第１の時刻が異なっているか否かを判別する判別手段と、
前記判別手段により時刻が異なることが判別された場合、前記時刻設定手段によって設定される前記第１の時刻を前記時刻受信手段により受信した情報が示す時刻に変更する時刻変更手段と
を具備したことを特徴とする携帯電子機器。
【請求項６】
前記時刻変更手段による時刻の変更を確認するための設定変更確認表示を行う確認表示手段と、
前記確認表示手段による設定変更確認表示に対する設定変更の実行指示を入力する指示入力手段とを具備し、
前記時刻変更手段は、前記指示入力手段によって実行指示が入力された場合に前記第１の時刻に変更することを特徴とする請求項４または請求項５記載の携帯電子機器。
【請求項７】
時刻を計時する計時手段と、
前記クレードル装置から時刻データを取得する時刻データ取得手段と、
前記時刻データ取得手段によって取得された時刻データによって前記計時手段によって計時されている時刻を修正する修正手段と
を具備したことを特徴とする請求項４または請求項５記載の携帯電子機器。
【請求項８】
クレードル装置と、同装置に載置されることで接続される携帯電子機器とを有する携帯電子機器システムにおいて、
前記携帯電子機器は、
第１のエリアあるいは第２のエリアを設定するエリア設定手段と、
前記クレードル装置と接続されたことを検知する検知手段と、
前記検知手段により検知された場合に、前記設定手段により前記第２のエリアが設定されているか否かを判別する判別手段と、
前記判別手段により前記第２のエリアに設定されていることが判別された場合、前記第１のエリアに変更するエリア変更手段とを具備したことを特徴とする携帯電子機器システム。
【請求項９】
クレードル装置と、同装置に載置されることで接続される携帯電子機器とを有する携帯電子機器システムにおいて、
前記クレードル装置は、
エリアを設定する第１のエリア設定手段と、
前記携帯電子機器が接続された場合に、前記エリア設定手段により設定されたエリアについての情報を前記携帯電子機器に送信するエリア送信手段とを有し、
前記携帯電子機器は、
エリアを設定する第２のエリア設定手段と、
前記クレードル装置と接続されたことを検知する検知手段と、
前記検知手段により検知された場合に、前記エリア送信手段により送信されたエリアについての情報を受信するエリア受信手段と、
前記エリア受信手段により受信した情報が示すエリアと前記第２の設定手段により設定されたエリアが異なっているか否かを判別する判別手段と、
前記判別手段によりエリアが異なることが判別された場合、前記第２のエリア設定手段によって設定されたエリアを前記エリア受信手段により受信した情報が示すエリアに変更するエリア変更手段と
を具備したことを特徴とする携帯電子機器システム。
【請求項１０】
クレードル装置と接続可能な携帯電子機器に内蔵されたコンピュータが実行するプログラムであって、
コンピュータを、
第１の時刻あるいは前記第１の時刻と異なる第２の時刻を設定する時刻設定手段と、
前記クレードル装置と接続されたことを検知する検知手段と、
前記検知手段により検知された場合に、前記設定手段により前記第２の時刻が設定されているか否かを判別する判別手段と、
前記判別手段により前記第２の時刻に設定されていることが判別された場合、前記第１の時刻に変更する時刻変更手段として機能させるためのプログラム。
【請求項１１】
クレードル装置と接続可能な携帯電子機器に内蔵されたコンピュータが実行するプログラムであって、
コンピュータを、
第１の時刻あるいは前記第１の時刻と異なる第２の時刻を設定する時刻設定手段と、
前記クレードル装置と接続されたことを検知する検知手段と、
前記検知手段により検知された場合に、前記クレードル装置から時刻についての情報を受信する時刻受信手段と、
前記時刻受信手段により受信した情報が示す時刻と前記設定手段により設定された第１の時刻が異なっているか否かを判別する判別手段と、
前記判別手段により時刻が異なることが判別された場合、前記時刻設定手段によって設定される前記第１の時刻を前記時刻受信手段により受信した情報が示す時刻に変更する時刻変更手段として機能させるためのプログラム。
【発明の詳細な説明】
【技術分野】
【０００１】
本発明は、デジタルスチルカメラ、携帯電話等に好適な携帯電子機器システム、携帯電子機器、携帯電子機器及びプログラムに関する。
【背景技術】
【０００２】
近年のデジタルスチルカメラ、携帯電話等の携帯電子機器は、クレードルを用いてデスクトップパソコンなどの他の情報機器と接続し、データの送受信や同期を行ったり、充電などを行うことができるようになっている。クレードルを用いることで、ケーブルで接続するより安定感があり、ユーザー側の手順を簡単にすることができる。
【０００３】
さらに、近年では、携帯電話機の本体とデータのやりとりを行うことで充電器（クレードル）の付加価値を高めるため、例えば充電器で管理している正確な時刻データを携帯電話機に転送することができる充電器が考えられている（例えば特許文献１）。
【特許文献１】特開平１０−１７８７４５号公報
【発明の開示】
【発明が解決しようとする課題】
【０００４】
しかしながら、従来のクレードル（充電器）では、クレードル側で管理している正確な時刻データを携帯電話機に転送し、携帯電話機が管理している現在時刻を更新させるだけであった。すなわち、携帯電子機器は、時刻データを用いて時刻合わせをするだけで、機器に設けられた機能とは何ら連係するものではなかった。
【０００５】
本発明は、前記のような問題に鑑みなされたもので、携帯電子機器に搭載された機能とクレードル装置とを連係させて、クレードル装置をより有効に利用することを可能にする携帯電子機器システム、携帯電子機器及びプログラムを提供することを目的とする。
【課題を解決するための手段】
【０００６】
請求項１の発明は、クレードル装置と、同装置に載置されることで接続される携帯電子機器とを有する携帯電子機器システムにおいて、前記携帯電子機器は、第１の時刻あるいは前記第１の時刻と異なる第２の時刻を設定する時刻設定手段と、前記クレードル装置と接続されたことを検知する検知手段と、前記検知手段により検知された場合に、前記設定手段により前記第２の時刻が設定されているか否かを判別する判別手段と、前記判別手段により前記第２の時刻に設定されていることが判別された場合、前記第１の時刻に変更する時刻変更手段とを具備したことを特徴とする。
【０００７】
請求項２記載の発明は、クレードル装置と、同装置に載置されることで接続される携帯電子機器とを有する携帯電子機器システムにおいて、前記クレードル装置は、時刻を設定する時刻設定手段と、前記携帯電子機器が接続された場合に、前記時刻設定手段により設定された時刻についての情報を前記携帯電子機器に送信する時刻送信手段とを有し、前記携帯電子機器は、第１の時刻あるいは前記第１の時刻と異なる第２の時刻を設定する時刻設定手段と、前記クレードル装置と接続されたことを検知する検知手段と、前記検知手段により検知された場合に、前記時刻送信手段により送信された時刻についての情報を受信する時刻受信手段と、前記時刻受信手段により受信した情報が示す時刻と前記設定手段により設定された第１の時刻が異なっているか否かを判別する判別手段と、前記判別手段により時刻が異なることが判別された場合、前記時刻設定手段によって設定される前記第１の時刻を前記時刻受信手段により受信した情報が示す時刻に変更する時刻変更手段とを具備したことを特徴とする。
【０００８】
請求項３の発明は、請求項１または請求項２記載の発明において、前記時刻変更手段による時刻の変更を確認するための設定変更確認表示を行う確認表示手段と、前記確認表示手段による設定変更確認表示に対する設定変更の実行指示を入力する指示入力手段とを具備し、前記時刻変更手段は、前記指示入力手段によって実行指示が入力された場合に前記第１の時刻に変更することを特徴とする。
【０００９】
請求項４の発明は、クレードル装置と接続可能な携帯電子機器において、第１の時刻あるいは前記第１の時刻と異なる第２の時刻を設定する時刻設定手段と、前記クレードル装置と接続されたことを検知する検知手段と、前記検知手段により検知された場合に、前記設定手段により前記第２の時刻が設定されているか否かを判別する判別手段と、前記判別手段により前記第２の時刻に設定されていることが判別された場合、前記第１の時刻に変更する時刻変更手段とを具備したことを特徴とする。
【００１０】
請求項５の発明は、クレードル装置と接続可能な携帯電子機器において、第１の時刻あるいは前記第１の時刻と異なる第２の時刻を設定する時刻設定手段と、前記クレードル装置と接続されたことを検知する検知手段と、前記検知手段により検知された場合に、前記クレードル装置から時刻についての情報を受信する時刻受信手段と、前記時刻受信手段により受信した情報が示す時刻と前記設定手段により設定された第１の時刻が異なっているか否かを判別する判別手段と、前記判別手段により時刻が異なることが判別された場合、前記時刻設定手段によって設定される前記第１の時刻を前記時刻受信手段により受信した情報が示す時刻に変更する時刻変更手段とを具備したことを特徴とする。
【００１１】
請求項６の発明は、請求項４または請求項５記載の発明において、前記時刻変更手段による時刻の変更を確認するための設定変更確認表示を行う確認表示手段と、前記確認表示手段による設定変更確認表示に対する設定変更の実行指示を入力する指示入力手段とを具備し、前記時刻変更手段は、前記指示入力手段によって実行指示が入力された場合に前記第１の時刻に変更することを特徴とする。
【００１２】
請求項７の発明は、請求項４または請求項５記載の発明において、時刻を計時する計時手段と、前記クレードル装置から時刻データを取得する時刻データ取得手段と、前記時刻データ取得手段によって取得された時刻データによって前記計時手段によって計時されている時刻を修正する修正手段とを具備したことを特徴とする。
【００１３】
請求項８の発明は、クレードル装置と、同装置に載置されることで接続される携帯電子機器とを有する携帯電子機器システムにおいて、前記携帯電子機器は、第１のエリアあるいは第２のエリアを設定するエリア設定手段と、前記クレードル装置と接続されたことを検知する検知手段と、前記検知手段により検知された場合に、前記設定手段により前記第２のエリアが設定されているか否かを判別する判別手段と、前記判別手段により前記第２のエリアに設定されていることが判別された場合、前記第１のエリアに変更するエリア変更手段とを具備したことを特徴とする。
【００１４】
請求項９の発明は、クレードル装置と、同装置に載置されることで接続される携帯電子機器とを有する携帯電子機器システムにおいて、前記クレードル装置は、エリアを設定する第１のエリア設定手段と、前記携帯電子機器が接続された場合に、前記エリア設定手段により設定されたエリアについての情報を前記携帯電子機器に送信するエリア送信手段とを有し、前記携帯電子機器は、エリアを設定する第２のエリア設定手段と、前記クレードル装置と接続されたことを検知する検知手段と、前記検知手段により検知された場合に、前記エリア送信手段により送信されたエリアについての情報を受信するエリア受信手段と、前記エリア受信手段により受信した情報が示すエリアと前記第２の設定手段により設定されたエリアが異なっているか否かを判別する判別手段と、前記判別手段によりエリアが異なることが判別された場合、前記第２のエリア設定手段によって設定されたエリアを前記エリア受信手段により受信した情報が示すエリアに変更するエリア変更手段とを具備したことを特徴とする。
【００１５】
請求項１０の発明は、クレードル装置と接続可能な携帯電子機器に内蔵されたコンピュータが実行するプログラムであって、コンピュータを、第１の時刻あるいは前記第１の時刻と異なる第２の時刻を設定する時刻設定手段と、前記クレードル装置と接続されたことを検知する検知手段と、前記検知手段により検知された場合に、前記設定手段により前記第２の時刻が設定されているか否かを判別する判別手段と、前記判別手段により前記第２の時刻に設定されていることが判別された場合、前記第１の時刻に変更する時刻変更手段として機能させる。
【００１６】
請求項１１の発明は、クレードル装置と接続可能な携帯電子機器に内蔵されたコンピュータが実行するプログラムであって、コンピュータを、第１の時刻あるいは前記第１の時刻と異なる第２の時刻を設定する時刻設定手段と、前記クレードル装置と接続されたことを検知する検知手段と、前記検知手段により検知された場合に、前記クレードル装置から時刻についての情報を受信する時刻受信手段と、前記時刻受信手段により受信した情報が示す時刻と前記設定手段により設定された第１の時刻が異なっているか否かを判別する判別手段と、前記判別手段により時刻が異なることが判別された場合、前記時刻設定手段によって設定される前記第１の時刻を前記時刻受信手段により受信した情報が示す時刻に変更する時刻変更手段として機能させる。
【発明の効果】
【００１７】
請求項１の発明によれば、第１の時刻あるいは第２の時刻が設定できる場合に、携帯電子機器がクレードル装置と接続されたことを検知すると、第２の時刻に設定されていれば第１の時刻に変更されるので、携帯電子機器をクレードル装置に載置するだけで、時刻の設定のための特別な操作を行うことなく時刻を修正することができる。従って、携帯電話機に搭載された機能とクレードルとが連係され、クレードル装置がより有効に利用されることになる。
【００１８】
請求項２の発明によれば、携帯電子機器が第１の時刻あるいは第２の時刻が設定できる場合において、携帯電子機器がクレードル装置と接続されたことを検知すると、クレードル装置において設定された時刻についての情報が携帯電子機器に送信され、この情報が示すクレードル装置において設定された時刻に携帯電子機器における第１の時刻が変更されるので、携帯電子機器をクレードル装置に載置するだけで、時刻の設定のための特別な操作を行うことなく時刻を修正することができる。従って、携帯電話機に搭載された機能とクレードルとが連係され、クレードル装置がより有効に利用されることになる。
【００１９】
請求項３の発明によれば、請求項１と請求項２の発明に加えて、時刻の変更が行われる場合には設定変更確認表示がされ、この表示に対して設定変更の実行指示が入力された場合に時刻の変更が行われるので、携帯電子機器に設定された時刻を変更するか否かを任意に選択することができる。
【００２０】
請求項４の発明によれば、第１の時刻あるいは第２の時刻が設定できる場合に、携帯電子機器がクレードル装置と接続されたことを検知すると、第２の時刻に設定されていれば第１の時刻に変更されるので、携帯電子機器をクレードル装置に載置するだけで、時刻の設定のための特別な操作を行うことなく時刻を修正することができる。従って、携帯電話機に搭載された機能とクレードルとが連係され、クレードル装置がより有効に利用されることになる。
【００２１】
請求項５の発明によれば、携帯電子機器が第１の時刻あるいは第２の時刻が設定できる場合において、携帯電子機器がクレードル装置と接続されたことを検知すると、クレードル装置において設定された時刻についての情報が携帯電子機器に送信され、この情報が示すクレードル装置において設定された時刻に携帯電子機器における第１の時刻が変更されるので、携帯電子機器をクレードル装置に載置するだけで、時刻の設定のための特別な操作を行うことなく時刻を修正することができる。従って、携帯電話機に搭載された機能とクレードルとが連係され、クレードル装置がより有効に利用されることになる。
【００２２】
請求項６の発明によれば、請求項４と請求項５の発明に加えて、時刻の変更が行われる場合には設定変更確認表示がされ、この表示に対して設定変更の実行指示が入力された場合に時刻の変更が行われるので、携帯電子機器に設定された時刻を変更するか否かを任意に選択することができる。
【００２３】
請求項７の発明によれば、クレードル装置にから時刻データを取得して、計時手段によって計時されている時刻を修正することができるので、クレードル装置で計時されている時刻を正確にしておくことで、携帯電子機器における時刻も正確に維持することができる。
【００２４】
請求項８の発明によれば、第１のエリアあるいは第２のエリアが設定できる場合に（例えば国際ローミングモードの設定）、携帯電子機器がクレードル装置と接続されたことを検知すると、第２のエリアに設定されていれば第１のエリアに変更されるので、携帯電子機器をクレードル装置に載置するだけで、エリアの設定のための特別な操作を行うことなくエリアを変更することができる。従って、携帯電話機に搭載された機能とクレードルとが連係され、クレードル装置がより有効に利用されることになる。
【００２５】
請求項９の発明によれば、携帯電子機器がエリアが設定できる場合において、携帯電子機器がクレードル装置と接続されたことを検知すると、クレードル装置において設定されたエリアについての情報が携帯電子機器に送信され、この情報が示すクレードル装置において設定されたエリアに携帯電子機器のエリアが変更されるので、携帯電子機器をクレードル装置に載置するだけで、エリアの設定のための特別な操作を行うことなくエリアを修正することができる。従って、携帯電話機に搭載された機能とクレードルとが連係され、クレードル装置がより有効に利用されることになる。
【００２６】
請求項１０の発明によれば、第１の時刻あるいは第２の時刻が設定できる場合に、携帯電子機器がクレードル装置と接続されたことを検知すると、第２の時刻に設定されていれば第１の時刻に変更されるので、携帯電子機器をクレードル装置に載置するだけで、時刻の設定のための特別な操作を行うことなく時刻を修正することができる。従って、携帯電話機に搭載された機能とクレードルとが連係され、クレードル装置がより有効に利用されることになる。
【００２７】
請求項１１の発明によれば、携帯電子機器が第１の時刻あるいは第２の時刻が設定できる場合において、携帯電子機器がクレードル装置と接続されたことを検知すると、クレードル装置において設定された時刻についての情報が携帯電子機器に送信され、この情報が示すクレードル装置において設定された時刻に携帯電子機器における第１の時刻が変更されるので、携帯電子機器をクレードル装置に載置するだけで、時刻の設定のための特別な操作を行うことなく時刻を修正することができる。従って、携帯電話機に搭載された機能とクレードルとが連係され、クレードル装置がより有効に利用されることになる。
【発明を実施するための最良の形態】
【００２８】
（第１の実施形態）
以下本発明をデジタルスチルカメラに適用した第１の実施形態について図面を参照して説明する。
【００２９】
図１は、本発明の第１の実施の形態に係るデジタルスチルカメラ１０を充電台を兼ねたクレードル１１に載置した状態の外観構成を示すものである。デジタルスチルカメラ１０は、その背面側が手前になるようにクレードル１１に載置することで、内蔵する電池の充電を実行できるだけでなく、このクレードル１１を図示しないＵＳＢ（Universal Serial Bus）ケーブルを介して例えばパーソナルコンピュータと接続することで、画像データの送受が可能であるものとする。
【００３０】
デジタルスチルカメラ１０は、例えばタバコの箱程度のサイズの金属外装を有する筐体でなり、その上面に電源キー１２及びシャッタキー１３を配設する。
【００３１】
また、デジタルスチルカメラ１０の背面には、モードキー１４、光学ファインダ１５、フォーカスインジケータ１６、ストロボインジケータ１７、表示部１８、ズームキー１９、メニュー（ＭＥＮＵ）キー２０、リングキー２１、セット（ＳＥＴ）キー２２、及びディスプレイ（ＤＩＳＰ）キー２３が配設される。
【００３２】
電源キー１２は、このデジタルスチルカメラ１０の電源をオン／オフする。
【００３３】
シャッタキー１３は、撮影モード時に操作することで画像の撮影を実行する。
【００３４】
モードキー１４は、基本モードである撮影モード（ＲＥＣ）と再生モード（ＰＬＡＹ）とをスライド操作により切換えるためのキースイッチで、図では再生モード側に設定されている。
【００３５】
光学ファインダ１５は、被写体像の視野を光学的に視認するためのものである。
【００３６】
フォーカスインジケータ１６は、光学ファインダ１５の近傍に配置され、ユーザが光学ファインダ１５を除いている状態でフォーカスがロックしたことを例えば赤色のＬＥＤ（Light Emitting Diode）の点灯により表示する。
【００３７】
ストロボインジケータ１７は、光学ファインダ１５の近傍にし位置され、ユーザが光学ファインダ１５を除いている状態でストロボの充電が完了したことを例えば緑色のＬＥＤの点灯により表示する。
【００３８】
表示部１８は、バックライトを有する例えば対角２インチ程度のサイズのカラーＴＦＴ液晶パネルで構成され、撮影モードではその時点で撮影しようとしている画像をモニタ表示する一方で、再生モード時にはこのデジタルスチルカメラ１０の記録媒体であるフラッシュメモリ（後述）から読出して選択的に表示する。
【００３９】
ズームキー１９は、撮影モード時に撮影レンズの焦点距離を望遠（Ｔ）側あるいは広角（Ｗ）側に無段階で可変させる。
【００４０】
メニューキー２０は、各種モード設定等をメニュー項目として、表示部１８に表示させる。メニューキー２０の操作によって表示されるメニュー項目には、ワールドタイム機能（詳細については後述する）におけるホーム国や撮影国を指定する処理の実行を指示する項目が設けられている。
【００４１】
リングキー２１は、リング状操作キーの操作位置により、表示部１８に表示される項目を上下左右各方向へ変更させるものであり、その中央に位置するセットキー２２で、選択されているメニュー項目を選択設定する。ワールドタイム機能を利用する場合には、ホーム国や撮影国を指定する場合に操作される。また、デジタルスチルカメラ１０をクレードル１１に載置することで時刻修正機能（詳細については後述する）が実行される場合には、各種表示に対して応答する場合に操作される。
【００４２】
ディスプレイキー２３は、表示部１８での表示のオン／オフを切換え、また表示部１８での表示形態を切換える。
【００４３】
また、クレードル１１には、図示するように「ＰＨＯＴＯ」キー２４、ＵＳＢキー２５と、充電（ＣＨＡＲＧＥ）インジケータ２６、及びＵＳＢインジケータ２７が設けられる他、図示しないがデジタルスチルカメラ１０の載置位置にはＵＳＢコネクタ端子が設けられる。
【００４４】
このクレードル１１にデジタルスチルカメラ１０を載置し、クレードル１１のＡＣケーブルを家庭内のコンセントに接続することで、デジタルスチルカメラ１０内に設けられる充電池の充電を行なうことができる。その際、充電を実行している際には充電インジケータ２６が点灯する。
【００４５】
また、「ＰＨＯＴＯ」キー２４を操作することで、デジタルスチルカメラ１０内に記録されている画像データを表示部１８で表示し、デジタルスチルカメラ１０及びクレードル１１を電子的なフォトスタンド（写真立て）として使用することもできるものとする。
【００４６】
加えて、デジタルスチルカメラ１０を載置したクレードル１１を、図示しないパーソナルコンピュータ等の情報機器とＵＳＢケーブルを用いて接続し、ＵＳＢキー２５を操作することで、デジタルスチルカメラ１０と該情報機器との間での画像データの転送を容易に実行できるものとする。この画像データの転送時には、ＵＳＢインジケータ２７が点灯する。
【００４７】
次に、図２を参照しながら、デジタルスチルカメラ１０内の回路構成について説明する。
【００４８】
計時部３０は、日付時刻のデータ（時刻データ）を出力するもので、後述する時刻修正機能によって、クレードル１１から取得される時刻データをもとに時刻の変更（修正）を可能とする。
【００４９】
撮影モードでのモニタリング状態においては、モータ（Ｍ）３１の駆動により合焦位置や絞り位置が移動される、撮影レンズを含むレンズ光学系３２の撮影光軸後方に配置された撮像素子であるＣＣＤ３３が、タイミング発生器（ＴＧ）３４、垂直ドライバ３５によって走査駆動され、一定周期毎に結像した光像に対応する光電変換出力を１画面分出力する。
【００５０】
この光電変換出力は、アナログ値の信号の状態でＲＧＢの各原色成分毎に適宜ゲイン調整された後に、サンプルホールド（Ｓ／Ｈ）回路３６でサンプルホールドされ、Ａ／Ｄ変換器３７でデジタルデータに変換され、カラープロセス回路３８で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ３９に出力される。
【００５１】
ＤＭＡコントローラ３９は、カラープロセス回路３８の出力する輝度信号Ｙ及び色差信号Ｃｂ，Ｃｒを、同じくカラープロセス回路３８からの複合同期信号、メモリ書込みイネーブル信号、及びクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送を行なう。
【００５２】
制御部４２は、ＣＰＵと、後述するワールドタイム機能、時刻修正機能の処理を含むＣＰＵで実行される動作プログラムを固定的に記憶したＲＯＭ、及びワークメモリとして使用されるＲＡＭ等により構成される。制御部４２は、デジタルスチルカメラ１０全体の制御動作を司るもので、輝度及び色差信号のＤＲＡＭ４１へのＤＭＡ転送終了後に、この輝度及び色差信号をＤＲＡＭインタフェース４０を介してＤＲＡＭ４１より読出し、ＶＲＡＭコントローラ４３を介してＶＲＡＭ４４に書込む。また、制御部４２は、ワールドタイム制御プログラムを実行することでワールドタイム機能を実現し、時刻管理プログラムを実行することで時刻修正機能を実現する。時刻修正機能では、デジタルスチルカメラ１０がクレードル１１に載置されることで、ワールドタイム機能によって設定された時刻の修正（変更）をすることができる。
【００５３】
デジタルビデオエンコーダ４５は、輝度及び色差信号をＶＲＡＭコントローラ４３を介してＶＲＡＭ４４より定期的に読出し、これらのデータを元にビデオ信号を発生して表示部１８に出力する。
【００５４】
表示部１８は、上述したように、撮影モード時にはモニタ表示部（電子ファインダ）として機能するもので、デジタルビデオエンコーダ４５からのビデオ信号に基づいた表示を行なうことで、その時点でＶＲＡＭコントローラ４３から取込んでいる画像情報に基づく画像をリアルタイムに表示することとなる。
【００５５】
このように表示部１８にその時点での画像がモニタ画像としてリアルタイムに表示されている状態で、静止画撮影を行ないたいタイミングでキー入力部４６を構成するシャッタキー１３を操作すると、トリガ信号を発生する。
【００５６】
制御部４２は、このトリガ信号に応じてその時点でＣＣＤ３３から取込んでいる１画面分の輝度及び色差信号のＤＲＡＭ４１へのＤＭＡ転送の終了後、直ちにＣＣＤ３３からのＤＲＡＭ４１への経路を停止し、記録保存の状態に遷移する。
【００５７】
この記録保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出してＪＰＥＧ（Joint Photographic Experts Group）回路４７に書込み、このＪＰＥＧ回路４７でＡＤＣＴ（Adaptive Discrete Cosine Transform：適応離散コサイン変換）、エントロピ符号化方式であるハフマン符号化等の処理によりデータ圧縮する。
【００５８】
そして、得た符号データを１画像のデータファイルとして該ＪＰＥＧ回路４７から読出し、このデジタルスチルカメラ１０の記録媒体として着脱自在に装着されるメモリカード内に封入された、不揮発性メモリであるフラッシュメモリ４８に書込む。
【００５９】
この際、フラッシュメモリ４８に書込む画像データのファイルに関しては、例えばシャッタキー１３の操作時に、ワールドタイム機能によって設定されている時刻に基づく日付及び時刻の他、シリアル番号からなる所定桁数、例えば「０３０３３１１２３４０００１．ｊｐｇ」のようなファイル名が自動的に付加されて記録されるものとする。
【００６０】
例えば、ファイル名「０３０３３１１２３４０００１．ｊｐｇ」は、「（２０）０３」年「０３」月「３１」日「１２」時「３４」分に撮影した「０００１」番目のＪＰＥＧ方式で圧縮した静止画データであることを示している。さらに、ワールドタイム機能によって設定されたホーム国あるいは撮影国の国名を付加して記録するようにもできる。
【００６１】
なお、フラッシュメモリ４８は、着脱可能なメモリカードとは別に、デジタルスチルカメラ１０に内蔵されているものとしてもよく、さらにはメモリカードと内蔵のメモリの双方を併用するものとしてもよい。
【００６２】
そして、１フレーム分の輝度及び色差信号の圧縮処理及びフラッシュメモリ４８への全圧縮データの書込み終了に伴なって、制御部４２はＣＣＤ３３からＤＲＡＭ４１への経路を再び起動する。
【００６３】
また、フラッシュメモリ４８には、ワールドタイム機能によって設定されるホーム国、撮影国、及び同機能で用いられるテーブルデータ（標準時差テーブル６７、ホーム基準時差テーブル６８（図５参照））などが記録される。
【００６４】
また、制御部４２にはさらに、ＵＳＢインタフェース（Ｉ／Ｆ）４９が接続される。このＵＳＢインタフェース４９は、ＵＳＢコネクタ５０を介して有線接続される外部の情報機器、例えばパーソナルコンピュータとの間で画像データその他の送受を行なう場合の通信制御、及びクレードル１１との間のデータ等の送受信の通信制御を行う。デジタルスチルカメラ１０は、ＵＳＢインタフェース４９を介して、クレードル１１からクレードル１１内で管理されている時刻データを取得することができる。
【００６５】
なお、キー入力部４６は、上述したシャッタキー１３の他に、電源キー１２、モードキー１４、ズームキー１９、メニューキー２０、リングキー２１、セットキー２２、及びディスプレイキー２３等から構成され、それらのキー操作に伴なう信号は直接制御部４２へ送出される。
【００６６】
しかるに、静止画像ではなく動画像の撮影時においては、キー入力部４６のシャッタキー１３が操作され続けている間、上述した静止画像データのＤＲＡＭ４１への記録を時間的に連続して実行し、該シャッタキー１３の操作が終わるか、または所定の制限時間、例えば３０秒が経過した時点でそれら一連の静止画データを順次ＪＰＥＧ回路４７でデータ圧縮した後、データ圧縮した一連の静止画データを含むモーションＪＰＥＧの動画データファイルを生成し、フラッシュメモリ４８に記録する。
【００６７】
また、再生モード時には、制御部４２がフラッシュメモリ４８に記録されている画像データを選択的に読出し、ＪＰＥＧ回路４７で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、表示部１８で再生出力させる。
【００６８】
選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【００６９】
次に、図３でクレードル１１内の回路構成について示す。クレードル１１は、このクレードル１１全般の制御を司る制御部５１を中心として、この制御部５１にＵＳＢインタフェース（Ｉ／Ｆ）５２、充電制御部５３、キー入力部５４、インジケータ部５５、記憶部５６、表示部５７、放音部５８、計時部５９（あるいは電波時計部６０）を接続して構成される。
【００７０】
制御部５１は、計時部５９あるいは電波時計部６０により時刻を管理しており、ＵＳＢコネクタ６２を介して接続されたデジタルスチルカメラ１０（携帯電子機器）に対して、時刻データを送信することができる。
【００７１】
ＵＳＢインタフェース５２は、ＵＳＢケーブル５６を介して外部に接続される図示しないパーソナルコンピュータ等の情報機器と、ＵＳＢコネクタ５７に接続されるデジタルスチルカメラ１０との間で送受される画像データ等の転送制御を行なう。また、デジタルスチルカメラ１０と制御部５１との間でのデータ等の転送制御を行う。
【００７２】
充電制御部５３は、ＡＣコード５８を介してＡＣプラグ５９を図示しない家庭内のコンセントに接続した場合に得られるＡＣ電源を整流し、このクレードル１１内の各回路へ必要な電圧の直流電源に変圧して供給する一方で、このクレードル１１に載置されるデジタルスチルカメラ１０へＵＳＢコネクタ５７の電力線を介してデジタルスチルカメラ１０へ充電用の直流電源を供給する。
【００７３】
キー入力部５４は、「ＰＨＯＴＯ」キー２４及びＵＳＢキー２５からなり、これらのキー入力は制御部５１へ直接入力される。
【００７４】
インジケータ部５５は、充電インジケータ２６及びＵＳＢインジケータ２７からなり、制御部５１からの制御信号に基づいて点灯発光する。
【００７５】
記憶部５６は、例えばメモリであり、制御部５１によりアクセスされる各種プログラムやデータを記憶する。
【００７６】
表示部５７は、クレードル１１の筐体外部に設けられる小型の液晶ディスプレイであり、各種処理を実行する際にメッセージなどを表示する。
【００７７】
放音部５８は、スピーカなどから構成されるもので、各種処理の実行に伴って所定の音を出力する。
【００７８】
計時部５９は、発振器をもとにして計時を行い日付時刻のデータ（時刻データ）を出力するもので、例えばＲＴＣ（Real Time clock）により構成される。
【００７９】
電波時計部６０は、送信所から発信される時刻情報を含む標準電波をアンテナ６０ａにより受信し、時刻情報を解析して、この時刻情報に基づいて自動修正する機能を有する時計である。
【００８０】
次に、第１の実施形態における動作について説明する。 
まず、デジタルスチルカメラ１０に設けられるワールドタイム機能の概略について説明する。ワールドタイム機能は、メニューキー２０の操作により表示したメニュー項目から、ホーム国あるいは撮影国を指定する処理の実行を指示する項目が選択された場合に起動される。制御部４２は、ワールドタイム制御プログラムを実行することで、以下に説明するホーム国設定動作あるいは撮影国登録動作を実行する。
【００８１】
図４（ａ）は、ホーム国設定動作を示すフローチャート、図４（ｂ）は撮影国登録動作を示すフローチャートである。
【００８２】
まず、ホーム国設定動作が開始されると、制御部４２は、ＲＯＭからホーム国設定用フォーマットデータを取り出してＤＲＡＭ４１に一時記憶してからホーム国設定用画面を表示部１８において表示させる（ステップＡ１）。
【００８３】
使用者がリングキー２１を操作してカーソルを移動させ、ホーム国を指定するとホーム国名が表示される（ステップＡ２）。ここで、セットキー２２が押されると確認されたものとして（ステップＡ３、Ｙｅｓ）、ステップＡ４に遷移する。表示された国名が所望のホーム国の国名でない場合には、ステップＡ１に戻ってさらにカーソルを移動させてホーム国を指定し直す。
【００８４】
ホーム国が指定されると、制御部４２は、図５（ａ）に示す標準時差テーブル６７を読み出してＤＲＡＭ４１にテーブル展開し、ホーム国を基準とした図５（ｂ）に示すホーム国標準時差テーブルを作成してフラッシュメモリ４８に記録する。
【００８５】
図５（ａ）には、標準時差テーブル６７の構造の一例を示している。
【００８６】
標準時差テーブル６７は、英国を基準として他の国との時差を登録した時差テーブルデータを登録したものであり、国名コード欄６７ａ、国名欄６７ｂ、及び時差欄６７ｃを有しており、ＲＯＭに格納されている。国名コード欄６７ａには、国コード（同一国で基準時間が異なる地域がある場合はそれぞれの地域コード）が登録されている。また、国名欄６７ｂには、国名が登録される。なお、同一国で標準時間が異なる地域がある場合には、それぞれの地域名称が登録される。また時差欄６７ｃにはグリニッジ時刻０時基準とする標準時差値が登録されている。
【００８７】
図５（ｂ）には、ホーム基準時差テーブル６８の構造の一例を示している。
【００８８】
ホーム基準時差テーブル６８は、ホーム国設定時に標準時差テーブル６７をもとに生成される時差テーブルであり、国名コード欄６８ａ、国名欄６８ｂ、及び時差欄６８ｃを有しており、生成後はフラッシュメモリ４８に記録される。ホーム基準時差テーブル６８は、撮影時の撮影国基準での撮影日時決定及び再生画像の表示時に表示される撮影国基準の撮影日時データの作成、及び画像データの出力時の撮影国基準の撮影日時データの作成時に用いられる。ホーム基準時差テーブル６８は、標準時差テーブル６７の各国毎のテーブルレコードをホーム国を先頭として所定の順序に並び替えたものであり、時差欄６８ｃにはホーム国からの時差が記録される。
【００８９】
ホーム国設定動作によりホーム国が設定されると、撮影した画像をフラッシュメモリ４８に記録する際に、ホーム国標準時差テーブル６８からホーム国基準の撮像日時（すなわちホーム国の日時）が読み出されて記録される。
【００９０】
次に、撮影国登録動作について説明する。撮影国登録動作が開始されると（ステップＢ１）、制御部４２は、撮影国登録画面を表示部１８において表示させて、使用者に撮影国の指定を促す（ステップＢ２）。撮影国登録画面では、世界地図上あるいはリスト形式によって国を指定できるようにする。また、撮影国登録画面では、ホーム国の位置を点滅表示するようにしても良い。
【００９１】
使用者によりリングキー２１が操作されると、この操作に応じて撮影国登録画面中でカーソルを移動させる（ステップＢ３）。カーソルにより撮影国が指定され、セットキー２２が押されると（ステップＢ４、Ｙｅｓ）、制御部４２は、撮影国の確認がされたものとして撮影国として指定された国の国名コードをフラッシュメモリ４８に記録しておく。
【００９２】
撮影国登録動作によって撮影国が設定されると、撮影した画像をフラッシュメモリ４８に記録する際に、ホーム基準時差テーブル６８に記録された撮影国に該当する国名コードと国名と対応づけられた時差を取り出して、ホーム国における時刻をもとにして撮影国での撮影日時を算出する。例えば、図５（ｂ）に示す例では、ホーム国として日本が登録されている場合のホーム基準時差テーブル６８であり、撮影国としてイギリスが指定されている場合には、日本の日時から時差９時間を加算した日時が撮影国での撮影日時として算出される。撮影した画像をフラッシュメモリ４８に記録する際には、ホーム国標準時差テーブル６８から撮影国の時差をもとに算出された撮影日時が記録される。
【００９３】
こうして、ホーム国設定動作、及び撮影国登録動作を実行するとで、ホーム国と撮影国を設定することができる。すなわち、ホーム国と撮影国を設定することで、デジタルスチルカメラ１０に対して時刻（ホーム国に対応する第１の時刻、撮影国に対応する第２の時刻）を設定したことになる。
【００９４】
次に、第１実施形態における時刻修正機能の動作について、図６に示すフローチャートを参照しながら説明する。 
第１実施形態では、デジタルスチルカメラ１０がクレードル１１に載置されたことを検知すると、デジタルスチルカメラ１０のワールドタイム機能による設定を変更することができる。
【００９５】
まず、デジタルスチルカメラ１０がクレードル１１に載置されると、デジタルスチルカメラ１０に設けられたＵＳＢコネクタ５０とクレードル１１に設けられたＵＳＢコネクタ６２が接続される。これによりデジタルスチルカメラ１０の制御部４２は、クレードル１１に載置されたことを検知する（ステップＣ１）。
【００９６】
制御部４２は、フラッシュメモリ４８に記憶されたワールドタイムの設定が訪問先の設定になっているか、すなわちホーム国の設定の他に撮影国が設定されているかを判別する（ステップＣ２）。
【００９７】
ワールドタイムの設定が訪問先（撮影国）を示す場合（ステップＣ２、Ｙｅｓ）、ＶＲＡＭコントローラ４３の制御のもと、表示部１８において設定変更確認表示を行う（ステップＣ３）。設定変更確認表示では、例えば図７（ａ）に示すように、「修正国設定が訪問先です。自宅に変更しますか。Ｙｅｓ／Ｎｏ」のメッセージを表示させる。
【００９８】
ここで、キー入力部に対する操作によって設定変更の指示（「Ｙｅｓ」の選択）が入力された場合（ステップＣ４、Ｙｅｓ）、制御部４２は、時刻設定をフラッシュメモリ４８に記憶された自宅時刻、すなわちワールドタイム機能によって設定されたホーム国に変更する（ステップＣ５）。
【００９９】
また、制御部４２は、表示部１８において自宅時刻に変更したことを通知するための設定変更通知表示をさせる（ステップＣ６）。設定変更通知表示では、例えば図７（ｂ）に示すように、「ワールドタイムを自宅に変更しました。」などのメッセージを表示させる。
【０１００】
こうして、デジタルスチルカメラ１０のワールドタイム機能により訪問国（図４（ｂ）の処理で設定された撮影国）に設定されている場合に、デジタルスチルカメラ１０をクレードル１１に載置するだけで、別途、ワールドタイム機能によるホーム国設定動作あるいは撮影国登録動作を実行して撮影国を変更する（ホーム国の設定に戻す）といった操作を行う必要がなくなる。
【０１０１】
次に、制御部４２は、インタフェースを通じてクレードル１１からクレードル１１内に設けられた計時部５９あるいは電波時計部６０によって計時された時刻データを取得し、その時刻データが示す時刻と計時部３０により計時されている自機内の時刻が一致しているか否かを確認する（ステップＣ７）。
【０１０２】
ここで、自機の時刻がクレードル１１の時刻と異なる場合（ステップＣ７、Ｙｅｓ）、制御部４２は、計時部３０により計時されている時刻を、クレードル１１の時刻、すなわち自宅時刻へ変更（修正）することをユーザに確認するための設定変更確認表示を行う。設定変更確認表示では、例えば図７（ｃ）に示すように、「時計の設定時刻がずれています。修正しますか？ Ｙｅｓ／Ｎｏ」などのメッセージを表示させる。
【０１０３】
ここで、リングキー２１とセットキー２２に対する操作によって、設定修正（変更）の実行が指示されると、制御部４２は、ステップＣ７におけるクレードル１１から取得した時刻データと計時部３０により計時されていた時刻の比較の際に算出された時刻の差をもとに、計時部３０による時刻設定をクレードル１１の時刻に変更する（ステップＣ１０）。そして、制御部４２は、クレードル１１の時刻に変更したことを通知するための設定変更通知表示を表示部１８において表示させる（ステップＣ１１）。設定変更通知表示では、例えば「時刻の修正をしました」のメッセージを表示させる。
【０１０４】
なお、ステップＣ４において、ユーザにより設定変更をしない指示が入力された場合には、計時部３０により計時されている時刻をクレードル１１から取得される時刻データをもとに修正する処理のみを実行する。
【０１０５】
また、前述した説明では、計時部３０による時刻の修正を実行しているが、ステップＣ７〜Ｃ１１の処理を実行しないようにすることもできる。この場合、デジタルスチルカメラ１０における時刻修正の処理は、クレードル１１に依存することなく実行することでがてきる（デジタルスチルカメラ１０によってクレードル１１に接続されたことが検知されるだけで良い）。また、デジタルスチルカメラ１０は、クレードル１１から時刻データを取得する必要がなくなるので、クレードル１１の構成から計時部５９及び電波時計部６０を省略することもできる。
【０１０６】
また、前述した説明では、ワールドタイムの設定が訪問国の場合（撮影国が設定される場合）には設定変更確認表示を行って、この表示に対して設定変更の実行が指示された場合に実際に設定変更をしているが、設定変更の確認を行うことなく修正を自動的に実行するようにしても良い。また、設定変更確認表示を行うか否かを予めモード設定しておき、このモード設定に応じて処理を切り替えるようにもできる。なお、ステップＣ８における設定変更確認表示についても同様である。
【０１０７】
また、ステップＣ１において、デジタルスチルカメラ１０に設けられたＵＳＢコネクタ５０とクレードル１１に設けられたＵＳＢコネクタ６２が接続されたことを検知しているが、デジタルスチルカメラ１０がデジタルスチルカメラ１０に載置されたことを検出する検出手段を別に設けるようにしても良い。
【０１０８】
このようにして、第１実施形態では、デジタルスチルカメラ１０においてクレードル１１に載置（接続）されたことを検知すると、ワールドタイム機能によって設定された時刻、すなわち撮影国の設定をホーム国に修正することができる。このため、例えばデジタルスチルカメラ１０を海外で使用するためにワールドタイム機能により撮影国を設定した場合であっても、帰国して自宅のクレードル１１に載置することにより時刻修正機能により簡単に国内の時刻に戻すことができる。このため、国内でデジタルスチルカメラ１０を使用した時に誤って撮影国（外国）での時刻を画像に付加して記録してしまうことがない。
【０１０９】
さらに、クレードル１１において計時されている時刻によってデジタルスチルカメラ１０の計時部３０によって計時されている時刻を修正することができるので、デジタルスチルカメラ１０に対する時刻修正をユーザが行う必要がない。従って、クレードル１１において計時される時刻が正確であれば、デジタルスチルカメラ１０での計時については必ずしも高精度である必要がない。このため、デジタルスチルカメラ１０に実装される計時部３０を多少精度が落ちるものの安価なものにしたり、あるいはソフトウェア的に時刻を計時するようにしたりして、コストダウンを図ることもできる。
【０１１０】
（第２の実施形態） 
次に、本発明の第２の実施形態について説明する。 
第１実施形態では、デジタルスチルカメラ１０がクレードル１１と接続されたことを検知した場合に、デジタルスチルカメラ１０に設けられた時刻修正機能のみによってホーム国への設定変更を行っているが、第２実施形態では、クレードル１１から設定変更のためのデータをデジタルスチルカメラ１０が取得することで設定変更を可能とする。第２実施形態では、クレードル１１においてワールドタイム機能によりホーム国、すなわちクレードル１１が使用される場所における時刻の設定を可能とし、クレードル１１に設定されたホーム国にデジタルスチルカメラ１０の設定を変更できるようにする。
【０１１１】
第２実施形態は、第１実施形態で説明したデジタルスチルカメラ１０とクレードル１１から構成される同様のシステム（図１〜図３）において実現することができる。ただし、クレードル１１は、記憶部５６にワールドタイム制御プログラムを記憶し、制御部５１がこのプログラムを実行することで、第１実施形態で説明したデジタルスチルカメラ１０に設けられたワールドタイム機能と同等の機能を実現できるものとする。すなわち、クレードル１１は、使用される国（あるいは地域）に応じてホーム国を設定することができる。
【０１１２】
また、デジタルスチルカメラ１０は、図８に示すフローチャートに従って、時刻修正機能を実行することで、自機内のワールドタイム機能による設定をクレードル１１に設定されたホーム国に修正変更することができる。
【０１１３】
次に、第２実施形態におけるデジタルスチルカメラ１０の時刻修正機能の動作について、図８に示すフローチャートを参照しながら説明する。 
まず、デジタルスチルカメラ１０がクレードル１１に載置されると、デジタルスチルカメラ１０に設けられたＵＳＢコネクタ５０とクレードル１１に設けられたＵＳＢコネクタ６２が接続される。これによりデジタルスチルカメラ１０の制御部４２は、クレードル１１に載置されたことを検知する（ステップＤ１）。
【０１１４】
制御部４２は、ＵＳＢインタフェース４９を通じて、クレードル１１に対してワールドタイム機能によって設定されたホーム国についての情報の送信を要求する。クレードル１１の制御部５１は、ＵＳＢインタフェース４９を通じてデジタルスチルカメラ１０からの要求を受信すると、ワールドタイム機能により設定されたホーム国の情報をデジタルスチルカメラ１０に対して送信する。
【０１１５】
デジタルスチルカメラ１０の制御部４２は、クレードル１１に設定されたホーム国についての情報を取得すると（ステップＤ２）、フラッシュメモリ４８に記憶されたワールドタイムのホーム国についての設定がクレードル１１のホーム国と異なっているかを判別する（ステップＤ３）。
【０１１６】
ワールドタイムの設定がクレードル１１におけるホーム国と異なる場合（ステップＤ３、Ｙｅｓ）、ＶＲＡＭコントローラ４３の制御のもと、表示部１８において設定変更確認表示を行う（ステップＤ３）。設定変更確認表示では、例えば第１実施形態と同様に図７（ａ）に示すようにメッセージを表示させる。
【０１１７】
ここで、キー入力部に対する操作によって設定変更の指示（「Ｙｅｓ」の選択）が入力された場合（ステップＤ５、Ｙｅｓ）、制御部４２は、フラッシュメモリ４８に記憶されたワールドタイム機能による設定を、クレードル１１から取得したホーム国に変更する（ステップＤ６）。
【０１１８】
また、制御部４２は、表示部１８において、クレードル１１に設定されたホーム国に変更したことを通知するための設定変更通知表示をさせる（ステップＤ７）。
【０１１９】
こうして、デジタルスチルカメラ１０のワールドタイム機能によりホーム国が設定されている場合に、デジタルスチルカメラ１０をクレードル１１に載置するだけで、別途、ワールドタイム機能によるホーム国設定動作を実行してホーム国の再設定のための操作を行う必要がなくなる。
【０１２０】
次に、制御部４２は、インタフェースを通じてクレードル１１から、クレードル１１内に設けられた計時部５９あるいは電波時計部６０によって計時された時刻データを取得し、その時刻データが示す時刻と計時部３０により計時されている自機内の時刻が一致しているか否かを確認する（ステップＤ８）。
【０１２１】
ここで、自機の時刻がクレードル１１の時刻と異なる場合（ステップＤ８、Ｙｅｓ）、制御部４２は、計時部３０により計時されている時刻を、クレードル１１の時刻、すなわち自宅時刻へ変更（修正）することをユーザに確認するための設定変更確認表示を行う。設定変更確認表示では、例えば第１実施形態と同様にして図７（ｃ）に示すようにメッセージを表示させる。
【０１２２】
ここで、リングキー２１とセットキー２２に対する操作によって、設定修正（変更）の実行が指示されると、制御部４２は、ステップＤ８におけるクレードル１１から取得した時刻データと計時部３０により計時されていた時刻の比較の際に算出された時刻の差をもとに、計時部３０による時刻設定をクレードル１１の時刻に変更する（ステップＤ１１）。そして、制御部４２は、クレードル１１の時刻に変更したことを通知するための設定変更通知表示を表示部１８において表示させる（ステップＤ１２）。
【０１２３】
なお、第２実施形態では、デジタルスチルカメラ１０がクレードル１１からホーム国についての情報を取得して、ワールドタイム機能による設定を修正変更するものとしているが、クレードル１１内の計時部５９あるいは電波時計部６０によって計時されている時刻データ、すなわちクレードル１１が使用されている国（あるいは地域）におけるホーム国の時刻データを取得して、この時刻データにより時刻の修正を実行するだけとしても良い。
【０１２４】
また、第２実施形態においても第１実施形態と同様に、設定変更確認表示を行うことなく修正を自動的に実行するようにしても良いし、さらに設定変更確認表示を行うか否かを予めモード設定するようにしても良い。
【０１２５】
このようにして、第２実施形態では、クレードル１１からホーム国についての情報をデジタルスチルカメラ１０が取得することで、デジタルスチルカメラ１０のワールドタイム機能による設定を修正することができる。このため、第１実施形態における効果に加えて、デジタルスチルカメラ１０をクレードル１１に載置するだけで、簡単にクレードル１１の設定に合わせてデジタルスチルカメラ１０の設定を修正することができる。また、クレードル１１において設定されたホーム国にデジタルスチルカメラ１０の設定を修正できるので、デジタルスチルカメラ１０においてホーム国の設定を省略することもできる。
【０１２６】
（第３実施形態、第４実施形態）
第１実施形態及び第２実施形態では、デジタルスチルカメラ１０とクレードル１１によって構成されるシステムを対象としているが、第３実施形態及び第４実施形態では、図９，図１０に示す携帯電話７０と、図１１，図１２に示すクレードル７２によって構成されるシステムによっても本発明を適用することができる。第３実施形態は、第１実施形態に対応し、第４実施形態は、第２実施形態と対応する。
【０１２７】
図９（ａ）（ｂ）は、本発明の第３及び第４実施形態による携帯電話７０の外観を示す図であり、クレードル７２に載置された状態を示している。図９（ａ）（ｂ）に示すように、携帯電話７０は、大きく蓋部７３と本体部７４とから構成されており、図９（ａ）が蓋部７３と本体部７４との間が解放された開状態、図９（ｂ）が閉状態を示している。
【０１２８】
蓋部７３は、本体部７４と回動可能に軸支するヒンジにより結合されており、本体部７４側に折り畳み可能となっている。
【０１２９】
アンテナ７５は、蓋部７３の背面に設けられており、伸縮自在となっている。
【０１３０】
スピーカ７６は、蓋部７３の前面側に設けられており、音声出力を行なう。
【０１３１】
表示部（メイン表示部）７７は、バックライト付きカラー液晶表示部であり、携帯電話機能の各種表示のほかカメラモード時には、スルー画像や撮影した画像を表示する。
【０１３２】
シャッターキー７８は、蓋部７３と本体部７４とを軸支するヒンジ部分に設けられ、撮像時にユーザの押圧操作により、後述する外部撮像レンズ８３によって撮影を指示する。
【０１３３】
キー入力部７９は、本体部７４の前面に設けられており、各種機能キー、テンキー、及びシャッターキーなどからなる。
【０１３４】
内側マイク８０は、本体部７４の内側下部に設けられており、主に通話時の音声と撮像時の音声入力を行なう。
【０１３５】
サブ表示部８１は、蓋部７３の背面に設けられているバックライト付きカラー液晶表示部であり、着信内容や時計表示のほか、カメラモード時には、スルー画像や撮影した画像を表示する。
【０１３６】
背面キー８２は、透明、または半透明部材で構成され、着信の際や撮影の際に照明光として発光するＬＥＤを内蔵している。
【０１３７】
外側撮像レンズ８３は、蓋部７３の背面、サブ表示部８１の下部に設けられている。
【０１３８】
外側マイク８４は、蓋部７３の背面の外側撮像レンズ８３近傍に設けられており、撮像時の音声入力を行なう。
【０１３９】
報知スピーカ８５は、着信などを報知するものであり、蓋部７３を本体部７４に閉じた状態でも報知音が聞こえるように、本体部７４の裏面に配置されている。 
なお、本体部７４の裏面には、バッテリパックが着脱可能に設けられている。
【０１４０】
次に、携帯電話７０の構成を図１０のブロック図において示している。 
計時部８９は、日付時刻のデータ（時刻データ）を出力するもので、時刻修正機能によって、クレードル１１から取得される時刻データをもとに時刻の変更（修正）を可能とする。
【０１４１】
無線送受信部９０は、無線によりアンテナ７５を介して音声やデータを送受し変調／復調する。
【０１４２】
無線信号処理部９１は、無線送受信部９０で受信した音声やデータを復調し、或いは無線送受信部９０から送信する音声やデータを変調するなどの無線通信に必要な処理をする。
【０１４３】
制御部９２は、蓋部７３、本体部７４の各種動作及び全体の動作を制御する。制御部９２は、第１実施形態におけるデジタルスチルカメラ１０の制御部４２と同等の処理を実行するもので、ワールドタイム制御プログラムを実行することでワールドタイム機能を実現し、また時刻管理プログラムを実行することで時刻修正機能を実現する。時刻修正機能では、携帯電話７０がクレードル７２に載置されることで、ワールドタイム機能によって設定された時刻を修正（変更）し、またクレードル７２から受信する時刻データをもとに計時部８９により計時されている時刻を修正することができる。
【０１４４】
光検出部９３は光センサを備え、携帯電話７０が開状態のときに周囲の明るさを検出する。
【０１４５】
開閉検出部９４はメカニカルスイッチを備え、携帯電話７０が開状態（蓋部７３と本体部７４とが開放された状態）になったのか、閉状態（本体部７４に蓋部７３が被さった状態）になったのかを検出する。 
ドライバ９５は、表示部７７を駆動させる。 
ドライバ９６は、サブ表示部８１を駆動させる。
【０１４６】
入出力インタフェース９７は、クレードル７２と接続するためのもので、データ送受信の他、電力の供給を受けるための端子（充電端子、データ送受信端子）などを含む。
【０１４７】
フラッシュメモリ９８は、本体部７４のスロット（図示せず）から本体部７４内部に着脱自在に設けられ、本携帯電話７０を呼び出すための電話番号や、操作者（加入者）のＩＤ等、プロフィールデータ及び各種のダウンロードされたデータや撮像された画像データも記憶する。また、フラッシュメモリ９８には、ワールドタイム機能によって設定されるホーム国、撮影国、及び同機能で用いられるテーブルデータ（第１実施形態に示す標準時差テーブル６７、ホーム基準時差テーブル６８（図５参照））などが記録される。
【０１４８】
ＲＯＭ９９は、制御部９２を動作させるための各種プログラムなどを記憶する。例えば、ワールドタイム機能、時刻修正機能の処理を含む動作プログラムを固定的に記憶する。
【０１４９】
ＲＡＭ１００は、無線通信端末として必要な各種データを記憶し、かつ制御部１００が動作する上で必要なデータを記憶する。
【０１５０】
音声信号処理部１０１は、マイク８０から入力された音声信号を符号化処理したり、無線信号処理部９１から出力された信号に基づいて復号化してスピーカ７６から出力したりする。
【０１５１】
ＤＳＰ（Digital Signal Processor）１０２は、撮像モジュール１０３によって取り込まれた動画画像データと内側マイク８０及び外側マイク８４によって取り込まれた音声をＭＰＥＧ４などの形式に符号化処理する。
【０１５２】
撮像モジュール１０３は、外部撮像レンズ８３に対応しており、ＣＣＤ、若しくはＣＭＯＳ等の撮像素子とその駆動回路で構成され、カラー画像を取り込む。
【０１５３】
報知デバイス用のドライバ１０４は、報音スピーカ８５、バイブレータ１０５、ＬＥＤ８２ａを駆動させるためのドライバである。
【０１５４】
図１１は、第３及び第４実施形態による携帯電話用のクレードル７２の外観を示す斜視図である。
【０１５５】
クレードル７２の上部には、携帯電話７１を載置するための本体充電部１１０が設けられている。本体充電部１１０は、携帯電話７０の本体部７４を安定して保持することができるように本体部７４に合わせた形状構成されている。
【０１５６】
本体充電部１１０の下端部には、携帯電話７０の本体部７４に設けられた入出力インタフェース９７と接続される入出力端子１１１が設けられている。入出力端子１１１は、充電端子とデータ送受信端子を兼ねている。
【０１５７】
また、本体充電部１１０の下端部には、携帯電話７０が本体充電部１１０に載置されたことを検知するための検出部１１２が設けられている。
【０１５８】
クレードル７２の筐体外面には、例えば液晶ディスプレイなどによって構成される表示部１１３、ＬＥＤにより構成される充電中を通知するために点灯される本体充電インジケータ１１４、各種警告を通知するために点滅されるアラームインジケータ１１５、強制転送ボタン１１６、放音部（スピーカ）１１７などが設けられる。
【０１５９】
次に、図１２でクレードル７２内の回路構成について示す。クレードル７２は、このクレードル７２全般の制御を司る制御部１２１を中心として、この制御部１２１に検出部１１、入出力インタフェース（Ｉ／Ｆ）１２２、充電制御部１２３、キー入力部１１６、インジケータ部１２５、記憶部１２６、表示部１１３、放音部１１７、計時部１２９（あるいは電波時計部１３０）を接続して構成される。
【０１６０】
制御部１２１は、計時部１２９あるいは電波時計部１３０により時刻を管理しており、入出力端子１１１を介して接続された携帯電話７０（携帯電子機器）に対して、時刻データを送信することができる。
【０１６１】
検出部１１２は、携帯電話７０が本体充電部１１０に載置されたことを検出して制御部１２１に通知する。
【０１６２】
入出力インタフェース１２２は、携帯電話７０と制御部１２１との間でのデータ等の転送制御を行う。
【０１６３】
充電制御部１２３は、ＡＣコード１３３を介してＡＣプラグ１３４を図示しない家庭内のコンセントに接続した場合に得られるＡＣ電源を整流し、このクレードル７２内の各回路へ必要な電圧の直流電源に変圧して供給する一方で、このクレードル７２に載置される携帯電話７０へ入出力端子１１１の電力線を介して携帯電話７０へ充電用の直流電源を供給する。
【０１６４】
キー入力部１１６は、強制転送ボタン１１６などからなり、キー入力を制御部１２１へ直接入力する。
【０１６５】
インジケータ部１２５は、本体充電インジケータ１１４及びアラームインジケータ１１５からなり、制御部１２１からの制御信号に基づいて点灯発光する。
【０１６６】
記憶部１２６は、例えばメモリであり、制御部１２１によりアクセスされる各種プログラムやデータを記憶する。
【０１６７】
表示部１１３は、クレードル７２の筐体外部に設けられる小型の液晶ディスプレイであり、各種処理を実行する際にメッセージなどを表示する。
【０１６８】
放音部１１７は、スピーカなどから構成されるもので、各種処理の実行に伴って所定の音を出力する。
【０１６９】
計時部１２９は、発振器をもとにして計時を行い日付時刻のデータ（時刻データ）を出力するもので、例えばＲＴＣ（Real Time clock）により構成される。
【０１７０】
電波時計部１３０は、送信所から発信される時刻情報を含む標準電波をアンテナ１３０ａにより受信し、時刻情報を解析して、この時刻情報に基づいて自動修正する機能を有する時計である。
【０１７１】
第３実施形態は、第１実施形態におけるシステムで実行される図６のフローチャートに示す処理を、携帯電話７０とクレードル７２により構成されるシステムにおいて同様にして実行するものであり、詳細な説明については省略する。
【０１７２】
第３実施形態では、携帯電話７０がクレードル７２に載置された場合、携帯電話７０の制御部９２は、入出力インタフェース９７を通じて、クレードル７２と接続されたことを検知して時刻修正機能を実行する。時刻修正機能は、ワールドタイム機能によって撮影国が設定されている場合には、これをホーム国に修正する。また、制御部９２は、クレードル７２の計時部１２９あるいは電波時計部１３０によって計時されている時刻を示す時刻データを取得し、この時刻データをもとに計時部８９を修正する。
【０１７３】
これにより、第１実施形態と同様の効果を得ることができる。
【０１７４】
また、第４実施形態は、第２実施形態におけるシステムで実行される図８のフローチャートに示す処理を、携帯電話７０とクレードル７２により構成されるシステムにおいて同様にして実行するものであり、詳細な説明については省略する。
【０１７５】
第４実施形態では、クレードル７２は、制御部１２１の制御のもとにワールドタイム機能によりホーム国の設定が可能としている。携帯電話７０は、クレードル１１に載置された場合、クレードル１１に設定されたホーム国についての情報を受信し、この情報をもとにワールドタイム機能による設定を修正する。
【０１７６】
これにより、第２実施形態と同様の効果を得ることができる。
【０１７７】
なお、前述した第３及び第４実施形態の説明では、携帯電話７０をクレードル７０に載置（接続）することで、時刻修正機能により時刻を修正（変更）するものとして説明しているが、その他の機能による設定を変更するようにしても良い。
【０１７８】
例えば、携帯電話７０に国際ローミングに対応する機能が設けられており、国内だけでなく海外においても使用できるものとする。国際ローミングにより海外で使用する場合、携帯電話７０に対して訪問先のエリア（国あるいはサービスを提供している地域など）に応じた国際ローミングモードが設定される。
【０１７９】
この場合、携帯電話７０が海外で使用するために海外ローミングモードに設定されていると、携帯電話７０は、第１及び第３実施形態のようにクレードル７０に載置されたことを検知すると、国内で使用するために海外ローミングモードを自動的に解除する。この時、前述した実施形態と同様にして、時刻の修正を行うようにしても良い。
【０１８０】
また、第２及び第４実施形態と同様にして、クレードル７２に対して国際ローミングモード、すなわちクレードル７２を設置しているエリア（国や地域）を示す国際ローミングモードが設定できるものとする。この場合、携帯電話７０を他の訪問国で使用するために、この訪問国のモードに切り替えてあったとしても、携帯電話７０をクレードル７２に接続することで、クレードル７２に設定されている国際ローミングモード（エリア）を示すデータを取得し、設定されたモードが異なっていればクレードル７２の設定に応じて変更を行う。この時、前述した実施形態と同様にして、時刻の修正を行うようにしても良い。
【０１８１】
このようにして、時刻設定に対する変更だけでなく、エリア設定する機能についても、クレードル７２を有効に活用して変更（修正）することができる。
【０１８２】
また、前述した各実施形態の説明では、携帯電子機器としてデジタルスチルカメラ１０と携帯電話７０を対象としているが、時刻を管理する機能、あるいはエリア設定する機能を有し、クレードル（あるいは充電器）などの外部機器と接続可能なその他の携帯電子機器に対して本発明を適用することもできる。
【０１８３】
また、本発明は、前述した各実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階の発明が含まれており、開示される複数の構成要件における適宜の組み合わせにより種々の発明が抽出され得る。例えば、実施形態に示される全構成要件から幾つかの構成要件が削除されても、効果が得られるので有れば、この構成要件が削除された構成が発明として抽出され得る。
【０１８４】
また、前述した各実施形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。携帯電子機器システムを実現するコンピュータは、記録媒体に記録された情報取得プログラムを読み込み、または通信媒体を介してプログラムを受信し、このプログラムによって動作が制御されることにより、上述した処理を実行する。
【図面の簡単な説明】
【０１８５】
【図１】本発明の第１実施形態に係るデジタルスチルカメラ１０を充電台を兼ねたクレードル１１に載置した状態の外観構成を示す図。
【図２】本発明の第１実施形態におけるデジタルスチルカメラ１０内の回路構成を示す図。
【図３】本発明の第１実施形態におけるクレードル１１内の回路構成を示す図。
【図４】本発明の第１実施形態におけるホーム国設定動作と撮影国登録動作を示すフローチャート。
【図５】本発明の第１実施形態における標準時差テーブル６７とホーム基準時差テーブル６８の一例を示す図。
【図６】本発明の第１実施形態におけるデジタルスチルカメラ１０の時刻修正機能の動作について示すフローチャート。
【図７】本発明の第１実施形態におけるメッセージの表示画面例。
【図８】本発明の第２実施形態におけるデジタルスチルカメラ１０の時刻修正機能の動作について示すフローチャート。
【図９】本発明の第３及び第４実施形態における携帯電話７０の外観を示す図。
【図１０】本発明の第３及び第４実施形態における携帯電話７０の構成を示すブロック図。
【図１１】本発明の第３及び第４実施形態におけるクレードル７２の外観を示す斜視図。
【図１２】本発明の第３及び第４実施形態におけるクレードル７２の回路構成を示すブロック図。
【符号の説明】
【０１８６】
１０…デジタルスチルカメラ、１１…クレードル、１２…電源キー、１３…シャッタキー、１４…モードキー、１５…光学ファインダ、１６…フォーカスインジケータ、１７…ストロボインジケータ、１８…表示部、１９…ズームキー、２０…メニュー（ＭＥＮＵ）キー、２１…リングキー、２２…セット（ＳＥＴ）キー、２３…ディスプレイ（ＤＩＳＰ）キー、２４…「ＰＨＯＴＯ」キー、２５…ＵＳＢキー、２６…充電インジケータ、２７…ＵＳＢインジケータ、３０…計時部、３１…モータ（Ｍ）、３２…レンズ光学系、３３…ＣＣＤ、３４…タイミング発生器（ＴＧ）、３５…垂直ドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４６…キー入力部、４７…ＪＰＥＧ回路、４８…フラッシュメモリ、４９…ＵＳＢインタフェース（Ｉ／Ｆ）、５０…ＵＳＢコネクタ、５１，１２１…制御部、５２…ＵＳＢインタフェース（Ｉ／Ｆ）、５３，１２３…充電制御部、５４，１１６…キー入力部、５５，１２５…インジケータ部、５６，１２６…記憶部、５７…表示部、５８…放音部、５９，１２９…計時部、６０，１３０…電波時計部、６０ａ，１３０ａ…アンテナ、６１…ＵＳＢケーブル、６２…ＵＳＢコネクタ、６３，１３３…ＡＣコード、６４，１３４…ＡＣプラグ、７０…携帯電話、７２…クレードル、７３…蓋部、７４…本体部、７５…アンテナ、７６…スピーカ、７７…表示部、７８…シャッタキー、７９…キー入力部、８０…内側マイク、８１…サブ表示部、８２…背面キー、８２ａ…ＬＥＤ、８３…外側撮像レンズ、８４…外部マイク、８５…放音スピーカ、９０…無線送受信部、９１…無線信号処理部、９２…制御部、９３…光検出部、９４…開閉検出部、９５，９６，１０４…ドライバ、９７…入出力インタフェース、９８…フラッシュメモリ、９９…ＲＯＭ、１００…ＲＡＭ、１０１…音声信号処理部、１０２…ＤＳＰ、１０３…撮影モジュール、１０５…バイブレータ、１１０…本体充電部、１１１…入出力端子、１１２…検出部、１１３…表示部、１１４…本体充電インジケータ、１１５…アラームインジケータ、１１６…強制転送ボタン、１１７…放音部、１２２…入出力端子。
【図１】
2008206204.tif 000003
【図２】
2008206204.tif 000004
【図３】
2008206204.tif 000005
【図４】
2008206204.tif 000006
【図５】
2008206204.tif 000007
【図６】
2008206204.tif 000008
【図７】
2008206204.tif 000009
【図８】
2008206204.tif 000010
【図９】
2008206204.tif 000011
【図１０】
2008206204.tif 000012
【図１１】
2008206204.tif 000013
【図１２】
2008206204.tif 000014
【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
クレードル装置と、同装置と接続される携帯電子機器とを有する携帯電子機器システムにおいて、
前記クレードル装置は、
第１のエリアの時刻を計時する第１の計時手段を具備し、
前記携帯電子機器は、
前記第１のエリアの時刻を計時する第２の計時手段と、
前記第１のエリアと第２のエリアとの時差を示す時差情報を記憶する時差記憶手段と、
前記第１のエリアあるいは前記第２のエリアを設定するエリア設定手段と、
前記エリア設定手段で設定したエリアが前記第２のエリアである場合に、前記第２の計時手段で計時している時刻と前記時差記憶手段に記憶した時差情報とに基づき、前記第２のエリアの時刻を算出する算出手段と、
前記クレードル装置と接続されたことを検知する検知手段と、
前記検知手段により検知された場合に、前記設定手段により前記第２のエリアが設定されているか否かを判別する判別手段と、
前記判別手段により前記第２のエリアに設定されていることが判別された場合、前記第１のエリアに変更するエリア変更手段と、
前記検知手段により検知されると共に前記第１の計時手段による時刻と前記第２の計時手段による時刻とが異なる場合に、前記第１の計時手段で計時している時刻に基づき、前記第２の計時手段で計時している時刻を修正する時刻修正手段と、
を具備したことを特徴とする携帯電子機器システム。
【請求項２】
クレードル装置と、同装置と接続される携帯電子機器とを有する携帯電子機器システムにおいて、
前記クレードル装置は、
第１の設定に対応付けられた時刻を計時する第１の計時手段を具備し、
前記携帯電子機器は、
前記第１の設定に対応付けられた時刻を計時する第２の計時手段と、
前記第１の設定に対応付けられた時刻と第２の設定に対応付けられた時刻との時差を示す時差情報を記憶する時差記憶手段と、
前記第１の設定あるいは前記第２の設定を設定する設定手段と、
前記設定手段で設定した設定が前記第２の設定である場合に、前記第２の計時手段で計時している時刻と、前記時差記憶手段に記憶した時差情報とに基づき、前記第２の設定に対応付けられた時刻を算出する算出手段と、
前記クレードル装置と接続されたことを検知する検知手段と、
前記検知手段により検知された場合に、前記設定手段により前記第２の設定が設定されているか否かを判別する判別手段と、
前記判別手段により前記第２の設定に設定されていることが判別された場合、前記第１の設定に設定変更する設定変更手段と、
前記検知手段により検知されると共に前記第１の計時手段による時刻と前記第２の計時手段による時刻とが異なる場合に、前記第１の計時手段で計時している時刻に基づき、前記第２の計時手段で計時している時刻を修正する時刻修正手段と、
を具備したことを特徴とする携帯電子機器システム。
【請求項３】
前記第１の設定は、前記携帯電子機器を使用するエリアを第１のエリアとして設定するものであり、
前記第２の設定は、前記携帯電子機器を使用するエリアを第２のエリアとして設定するものである
ことを特徴とする請求項２に記載の携帯電子機器システム。
【請求項４】
被写体を撮像して撮影画像を取得する撮像部と、
前記撮影画像を記録する画像記録手段と、
所定の指示により前記撮像部により撮影画像を取得して前記画像記録手段に記録させる撮影制御手段とを備え、
前記設定手段は、撮影を行なうエリアを設定するものであり、
前記算出手段は、前記撮像制御手段により撮影画像を取得されるに際して実行されて、前記設定手段で設定された撮影が行われたエリアに対応する撮影時刻が、当該撮影画像と関連付けて記録される
ことを特徴とする請求項３に記載の携帯電子機器システム。
【請求項５】
前記第１の計時手段は、電波時計に基づいて前記時刻を計時する
ことを特徴とする請求項１〜４の何れか１項に記載の携帯電子機器システム。
【請求項６】
第１の設定に対応付けられた時刻を計時する第１の計時手段を具備したクレードル装置と接続される携帯電子機器において、
前記第１の設定に対応付けられた時刻を計時する第２の計時手段と、
前記第１の設定に対応付けられた時刻と第２の設定に対応付けられた時刻との時差を示す時差情報を記憶する時差記憶手段と、
前記第１の設定あるいは前記第２の設定を設定する設定手段と、
前記設定手段で設定した設定が前記第２の設定である場合に、前記第２の計時手段で計時している時刻と、前記時差記憶手段に記憶した時差情報とに基づき、前記第２の設定に対応付けられた時刻を算出する算出手段と、
前記クレードル装置と接続されたことを検知する検知手段と、
前記検知手段により検知された場合に、前記設定手段により前記第２の設定が設定されているか否かを判別する判別手段と、
前記判別手段により前記第２の設定に設定されていることが判別された場合、前記第１の設定に変更する設定変更手段と、
前記検知手段により検知されると共に前記第１の計時手段による時刻と前記第２の計時手段による時刻とが異なる場合に、前記第１の計時手段で計時している時刻に基づき、前記第２の計時手段で計時している時刻を修正する時刻修正手段と、
を具備したことを特徴とする携帯電子機器。
【請求項７】
第１の設定に対応付けられた時刻を計時する第１の計時手段を具備したクレードル装置と接続される、前記第１の設定に対応付けられた時刻を計時する第２の計時手段と前記第１の設定に対応付けられた時刻と第２の設定に対応付けられた時刻との時差を示す時差情報を記憶する時差記憶手段とを具備した携帯電子機器に内蔵されたコンピュータが実行するプログラムであって、
前記コンピュータに、
前記第１の設定あるいは前記第２の設定を設定する設定処理と、
前記設定処理で設定した設定が前記第２の設定である場合に、前記第２の計時手段で計時している時刻と、前記時差記憶手段に記憶した時差情報とに基づき、前記第２の設定に対応付けられた時刻を算出する算出処理と、
前記クレードル装置と接続されたことを検知する検知処理と、
前記検知処理により検知された場合に、前記設定処理により前記第２の設定が設定されているか否かを判別する判別処理と、
前記判別処理により前記第２の設定に設定されていることが判別された場合、前記第１の設定に変更する設定変更処理と、
前記検知処理により検知されると共に前記第１の計時手段による時刻と前記第２の計時手段による時刻とが異なる場合に、前記第１の計時手段で計時している時刻に基づき、前記第２の計時手段で計時している時刻を修正する時刻修正処理と、
を実行させるためのプログラム。
【手続補正２】
【補正対象書類名】明細書
【補正対象項目名】０００６
【補正方法】変更
【補正の内容】
【０００６】
請求項１記載の発明は、クレードル装置と、同装置と接続される携帯電子機器とを有する携帯電子機器システムにおいて、前記クレードル装置は、第１のエリアの時刻を計時する第１の計時手段を具備し、前記携帯電子機器は、前記第１のエリアの時刻を計時する第２の計時手段と、前記第１のエリアと第２のエリアとの時差を示す時差情報を記憶する時差記憶手段と、前記第１のエリアあるいは前記第２のエリアを設定するエリア設定手段と、前記エリア設定手段で設定したエリアが前記第２のエリアである場合に、前記第２の計時手段で計時している時刻と前記時差記憶手段に記憶した時差情報とに基づき、前記第２のエリアの時刻を算出する算出手段と、前記クレードル装置と接続されたことを検知する検知手段と、前記検知手段により検知された場合に、前記設定手段により前記第２のエリアが設定されているか否かを判別する判別手段と、前記判別手段により前記第２のエリアに設定されていることが判別された場合、前記第１のエリアに変更するエリア変更手段と、前記検知手段により検知されると共に前記第１の計時手段による時刻と前記第２の計時手段による時刻とが異なる場合に、前記第１の計時手段で計時している時刻に基づき、前記第２の計時手段で計時している時刻を修正する時刻修正手段と、を具備したことを特徴とする携帯電子機器システムである。
【手続補正３】
【補正対象書類名】明細書
【補正対象項目名】０００７
【補正方法】変更
【補正の内容】
【０００７】
請求項２記載の発明は、クレードル装置と、同装置と接続される携帯電子機器とを有する携帯電子機器システムにおいて、前記クレードル装置は、第１の設定に対応付けられた時刻を計時する第１の計時手段を具備し、前記携帯電子機器は、前記第１の設定に対応付けられた時刻を計時する第２の計時手段と、前記第１の設定に対応付けられた時刻と第２の設定に対応付けられた時刻との時差を示す時差情報を記憶する時差記憶手段と、前記第１の設定あるいは前記第２の設定を設定する設定手段と、前記設定手段で設定した設定が前記第２の設定である場合に、前記第２の計時手段で計時している時刻と、前記時差記憶手段に記憶した時差情報とに基づき、前記第２の設定に対応付けられた時刻を算出する算出手段と、前記クレードル装置と接続されたことを検知する検知手段と、前記検知手段により検知された場合に、前記設定手段により前記第２の設定が設定されているか否かを判別する判別手段と、前記判別手段により前記第２の設定に設定されていることが判別された場合、前記第１の設定に設定変更する設定変更手段と、前記検知手段により検知されると共に前記第１の計時手段による時刻と前記第２の計時手段による時刻とが異なる場合に、前記第１の計時手段で計時している時刻に基づき、前記第２の計時手段で計時している時刻を修正する時刻修正手段と、を具備したことを特徴とする携帯電子機器システムである。
【手続補正４】
【補正対象書類名】明細書
【補正対象項目名】０００８
【補正方法】変更
【補正の内容】
【０００８】
請求項３記載の発明は、前記第１の設定は、前記携帯電子機器を使用するエリアを第１のエリアとして設定するものであり、前記第２の設定は、前記携帯電子機器を使用するエリアを第２のエリアとして設定するものであることを特徴とする請求項２に記載の携帯電子機器システムである。
【手続補正５】
【補正対象書類名】明細書
【補正対象項目名】０００９
【補正方法】変更
【補正の内容】
【０００９】
請求項４記載の発明は、被写体を撮像して撮影画像を取得する撮像部と、前記撮影画像を記録する画像記録手段と、所定の指示により前記撮像部により撮影画像を取得して前記画像記録手段に記録させる撮影制御手段とを備え、前記設定手段は、撮影を行なうエリアを設定するものであり、前記算出手段は、前記撮像制御手段により撮影画像を取得されるに際して実行されて、前記設定手段で設定された撮影が行われたエリアに対応する撮影時刻が、当該撮影画像と関連付けて記録されることを特徴とする請求項３に記載の携帯電子機器システムである。
【手続補正６】
【補正対象書類名】明細書
【補正対象項目名】００１０
【補正方法】変更
【補正の内容】
【００１０】
請求項５記載の発明は、前記第１の計時手段は、電波時計に基づいて前記時刻を計時することを特徴とする請求項１〜４の何れか１項に記載の携帯電子機器システムである。
【手続補正７】
【補正対象書類名】明細書
【補正対象項目名】００１１
【補正方法】変更
【補正の内容】
【００１１】
請求項６記載の発明は、第１の設定に対応付けられた時刻を計時する第１の計時手段を具備したクレードル装置と接続される携帯電子機器において、前記第１の設定に対応付けられた時刻を計時する第２の計時手段と、前記第１の設定に対応付けられた時刻と第２の設定に対応付けられた時刻との時差を示す時差情報を記憶する時差記憶手段と、前記第１の設定あるいは前記第２の設定を設定する設定手段と、前記設定手段で設定した設定が前記第２の設定である場合に、前記第２の計時手段で計時している時刻と、前記時差記憶手段に記憶した時差情報とに基づき、前記第２の設定に対応付けられた時刻を算出する算出手段と、前記クレードル装置と接続されたことを検知する検知手段と、前記検知手段により検知された場合に、前記設定手段により前記第２の設定が設定されているか否かを判別する判別手段と、前記判別手段により前記第２の設定に設定されていることが判別された場合、前記第１の設定に変更する設定変更手段と、前記検知手段により検知されると共に前記第１の計時手段による時刻と前記第２の計時手段による時刻とが異なる場合に、前記第１の計時手段で計時している時刻に基づき、前記第２の計時手段で計時している時刻を修正する時刻修正手段と、を具備したことを特徴とする携帯電子機器である。
【手続補正８】
【補正対象書類名】明細書
【補正対象項目名】００１２
【補正方法】変更
【補正の内容】
【００１２】
請求項７記載の発明は、第１の設定に対応付けられた時刻を計時する第１の計時手段を具備したクレードル装置と接続される、前記第１の設定に対応付けられた時刻を計時する第２の計時手段と前記第１の設定に対応付けられた時刻と第２の設定に対応付けられた時刻との時差を示す時差情報を記憶する時差記憶手段とを具備した携帯電子機器に内蔵されたコンピュータが実行するプログラムであって、前記コンピュータに、前記第１の設定あるいは前記第２の設定を設定する設定処理と、前記設定処理で設定した設定が前記第２の設定である場合に、前記第２の計時手段で計時している時刻と、前記時差記憶手段に記憶した時差情報とに基づき、前記第２の設定に対応付けられた時刻を算出する算出処理と、前記クレードル装置と接続されたことを検知する検知処理と、前記検知処理により検知された場合に、前記設定処理により前記第２の設定が設定されているか否かを判別する判別処理と、前記判別処理により前記第２の設定に設定されていることが判別された場合、前記第１の設定に変更する設定変更処理と、前記検知処理により検知されると共に前記第１の計時手段による時刻と前記第２の計時手段による時刻とが異なる場合に、前記第１の計時手段で計時している時刻に基づき、前記第２の計時手段で計時している時刻を修正する時刻修正処理と、を実行させるためのプログラムである。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
請求項１に係る第１の観点の発明によれば、クレードル装置が計時手段を有しているので、携帯電子機器をクレードル装置に接続するだけで、時刻の設定のための特別な操作を行うことなく時刻を修正することができると共に、エリアの設定のための特別な操作を行うことなくエリアを修正することができる。従って、携帯電話機に搭載された機能とクレードルとが連携され、クレードル装置がより有効に利用されることになる。
【手続補正１４】
【補正対象書類名】明細書
【補正対象項目名】００１８
【補正方法】変更
【補正の内容】
【００１８】
請求項２、５、６に係る第２の観点の発明によれば、クレードル装置が計時手段を有しているので、携帯電子機器をクレードル装置に接続するだけで、時刻の設定のための特別な操作を行うことなく時刻を修正することができると共に、所定設定のための特別な操作を行うことなく所定設定を修正することができる。従って、携帯電話機に搭載された機能とクレードルとが連携され、クレードル装置がより有効に利用されることになる。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】